(57)【要約】      （修正有）【課題】蓋体を好適に開くことができる家庭用薄葉紙収納容器を提供する。【解決手段】この家庭用薄葉紙収納容器１００であれば、開放された蓋体２０（蓋ヒンジ部２１）側の摺接部５２が容器本体１０（容器ヒンジ部１１）側の制動部５１に摺接して、回動する蓋体２０に摩擦力を付与するようにして、その蓋体２０が回動する勢いを抑えることができるので、蓋体２０が開いた反動で家庭用薄葉紙収納容器１００が置かれた位置からずれたり向きが変わったりすることがない。このように所望する位置に置かれた家庭用薄葉紙収納容器１００の蓋体２０を好適に開くことができ、その収納容器１００から家庭用薄葉紙を取り出して使用することができる。【選択図】図２
2020132159.tif 000002
【特許請求の範囲】
【請求項１】
内部に家庭用薄葉紙が収納され、その家庭用薄葉紙を取り出す開口部を有する容器本体と、
前記容器本体に回動可能に備えられ、前記開口部を開閉自在とする蓋体と、
前記蓋体を前記容器本体から離間させる方向に付勢する付勢部材と、
を備えた家庭用薄葉紙収納容器であって、
前記容器本体と前記蓋体は、前記容器本体側の容器ヒンジ部と前記蓋体側の蓋ヒンジ部を介して回動可能に連結されており、
前記容器ヒンジ部と前記蓋ヒンジ部のいずれか一方には制動部が設けられ、他方には前記蓋体が前記容器本体から離間する方向に回動する際に前記制動部に摺接する摺接部が設けられていることを特徴とする家庭用薄葉紙収納容器。
【請求項２】
前記蓋体が前記容器本体から離間する方向へ回動するのに伴い、前記摺接部が前記制動部に摺接する始点側よりも終点側の方が、前記制動部の高さが漸次高くなるように形成されていることを特徴とする請求項１に記載の家庭用薄葉紙収納容器。
【請求項３】
前記蓋体が前記容器本体から離間する方向へ回動するのに伴い、前記摺接部が前記制動部に摺接する始点側よりも終点側の方が、前記摺接部と前記制動部の接触面積が大きくなるように構成されていることを特徴とする請求項１又は２に記載の家庭用薄葉紙収納容器。
【請求項４】
前記蓋体が前記容器本体から離間する方向へ回動するのに伴い、前記制動部に対し相対的に移動した前記摺接部を、前記制動部との間に保持する保持部が設けられていることを特徴とする請求項１〜３のいずれか一項に記載の家庭用薄葉紙収納容器。
【請求項５】
前記付勢部材は、樹脂製の板バネであることを特徴とする請求項１〜４のいずれか一項に記載の家庭用薄葉紙収納容器。
【請求項６】
前記容器本体において前記容器ヒンジ部が設けられている後面部の幅方向略中央には、前記容器本体の前面部に向かって突き出している突出部が設けられていることを特徴とする請求項１〜５のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、家庭用薄葉紙であるウェットティッシュ等の収納容器としては、蓋体を板バネ等の付勢部材によって開放方向に付勢しつつ、その蓋体を所定の係止部材によって閉塞状態で係止しておき、使用者が係止部材に設けられたボタンを操作した際に、ワンタッチで蓋体が開くようにしたものが知られている（例えば、特許文献１参照。）。
【先行技術文献】
【特許文献】
【０００３】
【特許文献１】特許第５２８０７４３号公報
【発明の概要】
【発明が解決しようとする課題】
【０００４】
しかしながら、上記特許文献１の収納容器のボタンを操作すると、付勢部材によって付勢されている蓋体は全開となるまで減速することなく一気に開き、その開いた反動で蓋体がぐらぐらと振動するので、その振動により容器自体が揺れるなどして置かれた位置からずれてしまうことがあった。収納容器が置かれた位置からずれて向きが変わってしまうと、その収納容器から家庭用薄葉紙を取り出し難くなることがある。
【０００５】
本発明の目的は、蓋体を好適に開くことができる家庭用薄葉紙収納容器を提供することである。
【課題を解決するための手段】
【０００６】
以上の課題を解決するため、請求項１に記載の発明は、
内部に家庭用薄葉紙が収納され、その家庭用薄葉紙を取り出す開口部を有する容器本体と、
前記容器本体に回動可能に備えられ、前記開口部を開閉自在とする蓋体と、
前記蓋体を前記容器本体から離間させる方向に付勢する付勢部材と、
を備えた家庭用薄葉紙収納容器であって、
前記容器本体と前記蓋体は、前記容器本体側の容器ヒンジ部と前記蓋体側の蓋ヒンジ部を介して回動可能に連結されており、
前記容器ヒンジ部と前記蓋ヒンジ部のいずれか一方には制動部が設けられ、他方には前記蓋体が前記容器本体から離間する方向に回動する際に前記制動部に摺接する摺接部が設けられていることを特徴とする。
かかる構成の家庭用薄葉紙収納容器であれば、例えば、開放された蓋体（蓋ヒンジ部）側の摺接部が容器本体（容器ヒンジ部）側の制動部に摺接して、回動する蓋体に摩擦力を付与するようにして、その蓋体が回動する勢いを抑えることができるので、蓋体が開いた反動で家庭用薄葉紙収納容器が置かれた位置からずれたり向きが変わったりすることがない。
そして、所望する位置に置かれた家庭用薄葉紙収納容器の蓋体を好適に開くことができ、その収納容器から家庭用薄葉紙を取り出して使用することができる。
【０００７】
請求項２に記載の発明は、請求項１に記載の家庭用薄葉紙収納容器において、
前記蓋体が前記容器本体から離間する方向へ回動するのに伴い、前記摺接部が前記制動部に摺接する始点側よりも終点側の方が、前記制動部の高さが漸次高くなるように形成されていることを特徴とする。
【０００８】
請求項３に記載の発明は、請求項１又は２に記載の家庭用薄葉紙収納容器において、
前記蓋体が前記容器本体から離間する方向へ回動するのに伴い、前記摺接部が前記制動部に摺接する始点側よりも終点側の方が、前記摺接部と前記制動部の接触面積が大きくなるように構成されていることを特徴とする。
【０００９】
請求項４に記載の発明は、請求項１〜３のいずれか一項に記載の家庭用薄葉紙収納容器において、
前記蓋体が前記容器本体から離間する方向へ回動するのに伴い、前記制動部に対し相対的に移動した前記摺接部を、前記制動部との間に保持する保持部が設けられていることを特徴とする。
【００１０】
請求項５に記載の発明は、請求項１〜４のいずれか一項に記載の家庭用薄葉紙収納容器において、
前記付勢部材は、樹脂製の板バネであることを特徴とする。
【００１１】
請求項６に記載の発明は、請求項１〜５のいずれか一項に記載の家庭用薄葉紙収納容器において、
前記容器本体において前記容器ヒンジ部が設けられている後面部の幅方向略中央には、前記容器本体の前面部に向かって突き出している突出部が設けられていることを特徴とする。
【発明の効果】
【００１２】
本発明によれば、蓋体を好適に開くことができる家庭用薄葉紙収納容器が得られる。
【図面の簡単な説明】
【００１３】
【図１】本実施形態の家庭用薄葉紙収納容器の蓋体が開けられた状態を示す前方斜視図である。
【図２】本実施形態の家庭用薄葉紙収納容器の蓋体が開けられた状態を示す後方斜視図である。
【図３】本実施形態の家庭用薄葉紙収納容器の蓋体が閉められた状態を示す前方斜視図である。
【図４】本実施形態の家庭用薄葉紙収納容器の蓋体が閉められた状態を示す後方斜視図である。
【図５】図１のV−V線における断面図であり、容器内部に複数の家庭用薄葉紙が収納されている状態を示している。
【図６】蓋体が容器本体から離間する方向へ回動する際、制動部に摺接部が摺接する過程を示した拡大説明図（ａ）（ｂ）（ｃ）（ｄ）である。
【図７】蓋体が容器本体から離間する方向へ回動して止まる態様の変形例を示す説明図（ａ）（ｂ）である。
【図８】蓋体が容器本体から離間する方向へ回動する際、制動部と摺接部が摺接する態様の変形例を示す説明図（ａ）（ｂ）である。
【発明を実施するための形態】
【００１４】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１〜図４に示すように、前後方向、左右方向及び上下方向を定めて説明する。すなわち、家庭用薄葉紙収納容器１００の蓋体２０が備えられた側を「上」、その反対側を「下」、容器本体１０と蓋体２０とが接続されている側を「後」、その反対側を「前」、容器の前面を正面視した状態における右手側を「右」、容器の前面を正面視した状態における左手側を「左」とする。
【００１５】
［実施形態の構成］
｛全体構成｝
本実施形態の家庭用薄葉紙収納容器１００は、例えば、図１〜図５に示すように、上部に開口部１０ｃが設けられ、前後方向に積層された複数枚の家庭用薄葉紙Ｐを収納するための容器本体１０と、容器本体１０の後面部１０ａ側に回動可能に備えられ、開口部１０ｃを開閉自在とする蓋体２０と、蓋体２０を容器本体１０から離間させる方向に付勢する付勢部材３０と、容器本体１０の後面部１０ａに設けられている突出部４０と、を備えている。
【００１６】
［容器本体および蓋体］
この家庭用薄葉紙収納容器１００は、容器本体１０に対し蓋体２０が閉じられた状態で、その内部にウェットシートやウェットティッシュなどの家庭用薄葉紙Ｐを収容する筐体状の容器である。
なお、容器本体１０と蓋体２０は、ＰＰ（ポリプロピレン）、ＡＢＳ（アクリロニトリル・ブタジエン・スチレン）、ＰＥ（ポリエチレン）、ＰＰとＰＥの混合体などの樹脂が、ブロー成形、射出成形（コールドランナー、ホットランナー）など一般的な製造方法によって成形される。
また、容器本体１０と蓋体２０とで構成されている家庭用薄葉紙収納容器１００は、前後方向に好ましくは９０ｍｍから１５０ｍｍ、さらに好ましくは１００ｍｍから１２０ｍｍ、左右方向に好ましくは１００ｍｍから２００ｍｍ、さらに好ましくは１４０ｍｍから１６０ｍｍ、上下方向に好ましくは６０ｍｍから１３０ｍｍ、さらに好ましくは９０ｍｍから１１０ｍｍの大きさとなるように形成されている。また、各面の厚みは、好ましくは０．５ｍｍから３ｍｍ、さらに好ましくは１ｍｍから２ｍｍである。
この大きさ及び厚みであれば、実使用に問題ない強度を達成し、好適に家庭用薄葉紙Ｐを収容することができる。
【００１７】
容器本体１０の後面部１０ａの開口部１０ｃ近傍には、容器ヒンジ部１１が形成されており、蓋体２０の後面側には、蓋ヒンジ部２１が形成されている。
この収納容器では、一対の容器ヒンジ部１１の間に蓋ヒンジ部２１が挟まれて軸着されている。
例えば、容器ヒンジ部１１の軸穴Ｈ（図６参照）に蓋ヒンジ部２１の軸突起Ｊ（図６参照）を係入して、容器ヒンジ部１１と蓋ヒンジ部２１とを組み付けることによって、容器ヒンジ部１１と蓋ヒンジ部２１とが連結されてなる回動部５０が構成される。
この回動部５０を介して、蓋体２０が容器本体１０に対して回動可能に配設されている。
【００１８】
また、図２、図４、図５に示すように、回動部５０を構成する容器ヒンジ部１１に制動部５１と保持部５３が設けられ、蓋ヒンジ部２１に摺接部５２が設けられている。
この回動部５０における制動部５１、摺接部５２、保持部５３の機能等については後述する。
【００１９】
（付勢部材）
また、回動部５０近傍の収納容器の内側には、例えば、樹脂製の板バネである付勢部材３０が配設されている。
具体的には、容器本体１０の後面部１０ａ内側の開口部１０ｃ近傍に設けられているバネ固定部３１に付勢部材３０の一端部が固定され、蓋体２０の内側に設けられているバネ固定部３２に付勢部材３０の他端部が固定された態様で、付勢部材３０が家庭用薄葉紙収納容器１００内に配設されている。
この付勢部材３０が蓋体２０を容器本体１０から離間させる方向に付勢することで、蓋体２０が回動部５０（軸穴Ｈ、軸突起Ｊ（図６参照））を軸心に回動するように押し上げられて開口部１０ｃが開くようになっている。
【００２０】
容器本体１０の前面部１０ｂの開口部１０ｃ近傍には、係合部１３が形成されており、蓋体２０の前面側には、係止部２３が形成されている。
そして、蓋体２０の前面側が容器本体１０の前面部１０ｂに接触された際に、係合部１３が係止部２３と係合することにより、蓋体２０が容器本体１０側に保持されて、開口部１０ｃを閉じるようになっている。
【００２１】
また、容器本体１０の前面部１０ｂであって係合部１３の近傍には、前方に突出する挟持部１２が設けられており、挟持部１２には、係合解除部材１４がその配置を変更可能に軸支されて配設されている。
そして、係合解除部材１４と挟持部１２を挟持すると、係合解除部材１４の一端部１４ａが挟持部１２に近接する方向に揺動する。このように係合解除部材１４を揺動させるようにその配置を変更させると、係合解除部材１４の他端部１４ｂが蓋体２０の押上突起２４を押し上げて、係止部２３と係合部１３の係合が解除されるようになっている。
つまり、係合解除部材１４と挟持部１２を挟持して、係合解除部材１４を揺動させることにより、係止部２３と係合部１３の係合を解除すると、付勢部材３０の付勢力によって、蓋体２０が押し上げられて開くようになっている。
【００２２】
また、容器本体１０の開口部１０ｃの周縁部４には、容器本体１０に対し蓋体２０が閉じられた際に、蓋体２０の周縁部３が嵌入する溝部５が形成されている。
容器本体１０の周縁部４の溝部５に、蓋体２０の周縁部３が嵌入した際、溝部５の内面に周縁部３の外面が密着するようになっている。
そして、容器本体１０の開口部１０ｃを閉じるように蓋体２０を閉め、蓋体２０の周縁部３が溝部５に嵌入した際、開口部１０ｃの全周に亘って溝部５の内面と周縁部３の外面が密着することで、容器本体１０と蓋体２０の間を密封することができるので、家庭用薄葉紙収納容器１００の密閉性を確保することができる。
【００２３】
（突出部）
また、この家庭用薄葉紙収納容器１００における容器本体１０の後面部１０ａの幅方向略中央には、容器本体１０の前面部１０ｂに向かって突き出している突出部４０が設けられている。
この突出部４０は、容器本体１０の上部側から底部１０ｄに向かって左右方向に拡幅した形状を有し、後面部１０ａを正面視した際の突出部４０は略台形状を呈している。
換言すれば、この突出部４０は、容器本体１０の後面部１０ａを前面部１０ｂに向けて略台形状に凹ませた態様に形成されている。なお、容器本体１０の後面部１０ａが凹まされて形成された凹部空間は、略四角柱形状（略台形柱形状）を呈している。
例えば、この突出部４０は、前後方向に好ましくは２ｍｍから２０ｍｍ、さらに好ましくは３ｍｍから１０ｍｍ、左右方向に好ましくは１５ｍｍから６０ｍｍ、さらに好ましくは２０ｍｍから４０ｍｍ、上下方向に好ましくは３０ｍｍから９０ｍｍ、さらに好ましくは６０ｍｍから７５ｍｍのサイズを有するように形成されている。
また、この突出部４０の左右方向の幅は、上部よりも底部１０ｄ側の下部の方が広く形成されており、好ましくは２０％から６０％、さらに好ましくは３０％から５０％広く形成されている。
【００２４】
このような突出部４０が設けられている家庭用薄葉紙収納容器１００（容器本体１０）に、前後方向に積層された複数枚の家庭用薄葉紙Ｐを収納した場合、例えば、図５に示すように、容器本体１０に収納した家庭用薄葉紙Ｐの束が突出部４０に寄り掛かるようになる。
そして、容器本体１０内で突出部４０に寄り掛かるように収納された家庭用薄葉紙Ｐの束は、後面部１０ａとの間に隙間ができた状態で収納されるようになる。
このように容器本体１０内で突出部４０に寄り掛かるように収納された家庭用薄葉紙Ｐは、後面部１０ａとの間に隙間ができた状態で収納されているので、その隙間を利用して家庭用薄葉紙Ｐの端を掴み易く、取り出し易くなっている。
【００２５】
［回動部（制動部・摺接部・保持部）］
ここで、本実施形態の家庭用薄葉紙収納容器１００の回動部５０における制動部５１、摺接部５２、保持部５３の機能等について説明する。
回動部５０は、容器ヒンジ部１１と蓋ヒンジ部２１とで構成されている。
図２、図４や、図５、図６に示すように、容器ヒンジ部１１には、制動部５１と保持部５３が設けられており、蓋ヒンジ部２１には、蓋体２０が容器本体１０から離間する方向に回動する際に制動部５１に摺接する摺接部５２が設けられている。
【００２６】
制動部５１は、蓋体２０の回動方向に沿って延在するように設けられた突片であり、この制動部５１を側面視すると、図６に示すように、一端側と他端側の高さ（厚み）が異なる略円弧形状を有している。
具体的には、この制動部５１は、図６（ａ）〜（ｄ）に示すように、蓋体２０が容器本体１０から離間する方向へ回動するのに伴い、摺接部５２が制動部５１に摺接する始点側よりも終点側の方が、制動部５１の高さが漸次高くなるように形成されており、その一端側（始点側）が比較的低く、他端側（終点側）が比較的高いという略円弧形状に形成されている。
【００２７】
容器ヒンジ部１１の表面に形成されている制動部５１は、例えば、中心角が５０°から９０°の略円弧形状に形成されていることが好ましい。
制動部５１の中心角が上記範囲内であれば、制動部５１に摺接部５２が好適に摺接し、蓋体２０が回動する勢いを好適に抑えることができる。
一方、中心角が５０°未満の制動部５１であると、摺接部５２が摺接する領域が短く、蓋体２０が回動する勢いを十分に抑えることができないことがある。
なお、制動部５１の中心角が９０°であれば、蓋体２０が回動する勢いを良好に抑えることができ、それ以上制動部５１の領域を広げなくてもよいので、制動部５１の中心角は上記の範囲とした。
【００２８】
また、例えば、制動部５１の一端側（始点側）の高さは、容器ヒンジ部１１の表面から０．０５ｍｍから０．１５ｍｍであることが好ましく、制動部５１の他端側（終点側）の高さは、容器ヒンジ部１１の表面から０．２ｍｍから１．０ｍｍであることが好ましい。
制動部５１の高さが上記範囲内であれば、制動部５１に摺接部５２が好適に摺接し、蓋体２０が回動する勢いを好適に抑えることができる。
一方、制動部５１の高さが上記範囲を下回ると、蓋体２０が回動する勢いを十分に抑えることができないことがある。また、制動部５１の高さが上記範囲を上回ると、蓋体２０が全開せずに回動が止まってしまうことがある。
【００２９】
そして、この家庭用薄葉紙収納容器１００における係合解除部材１４と挟持部１２を挟持して、係止部２３と係合部１３の係合を解除すると、付勢部材３０の付勢力によって押し上げられた蓋体２０が容器本体１０から離間する方向へ回動する。
こうして蓋体２０が容器本体１０から離間する方向へ回動する際、図６（ａ）〜（ｃ）に示すように、蓋体２０（蓋ヒンジ部２１）側の摺接部５２が、容器本体１０（容器ヒンジ部１１）側の制動部５１に摺接するようになっている。
そして、この摺接部５２が摺接する制動部５１は、その摺接の始点側よりも終点側の方が高く形成されているので、摺接部５２が制動部５１の終点側に回動するにつれ、摺接部５２と制動部５１とが圧接し、摺接部５２と制動部５１の間の摩擦力が徐々に大きくなって、蓋体２０が回動する勢いを抑えるブレーキがかかるようになる。
このように、制動部５１に対して相対的に移動する摺接部５２がその制動部５１に摺接して、蓋体２０が回動する勢いを抑えることができる。
【００３０】
さらに摺接部５２の回動が進むと、図６（ｄ）に示すように、摺接部５２が保持部５３に当接して蓋体２０の回動が止まるようになる。
このとき、蓋体２０が回動する勢いは、摺接部５２が制動部５１に摺接したことでブレーキがかかり抑えられているので、蓋体２０が開いた反動でその蓋体２０がぐらぐらと振動することはなく、容器本体１０が揺れるなどして置かれた位置からずれてしまうことはない。
【００３１】
また、蓋体２０が容器本体１０から離間する方向へ回動するのに伴って、制動部５１に対し相対的に移動した摺接部５２は、図６（ｄ）に示すように、保持部５３によって制動部５１との間に保持されるので、開蓋した蓋体２０はその姿勢で安定し、開蓋した状態が維持されるようになる。
【００３２】
［実施形態の効果］
本実施形態の家庭用薄葉紙収納容器１００によれば、使用者が係合解除部材１４と挟持部１２を挟持して、係止部２３と係合部１３の係合を解除すると、付勢部材３０の付勢力によって蓋体２０が自動的に跳ね上げられることから、家庭用薄葉紙使用時の蓋体２０の開放が容易となる。
特に、この家庭用薄葉紙収納容器１００は、開放された蓋体２０側の摺接部５２が容器本体１０側の制動部５１に摺接して、回動する蓋体２０に摩擦力を付与するようにして、その蓋体２０が回動する勢いを抑えるようにブレーキをかけることができるので、蓋体２０が開いた反動でその蓋体２０や容器本体１０がぐらつくことはなく、家庭用薄葉紙収納容器１００が置かれた位置からずれたり向きが変わったりしてしまうことがない。
また、蓋体２０が開蓋した状態で、蓋体２０側の摺接部５２が容器本体１０側の制動部５１と保持部５３との間に保持されるので、開蓋した蓋体２０をその姿勢で好適に維持することができる。
【００３３】
このような家庭用薄葉紙収納容器１００であれば、蓋体２０を開いた反動で家庭用薄葉紙収納容器１００が置かれた位置からずれてしまうことがないので、所望する位置に置かれた家庭用薄葉紙収納容器１００の蓋体２０を好適に開くことができ、その収納容器１００から家庭用薄葉紙Ｐを取り出して使用することができる。
【００３４】
［変形例］
なお、本発明は上記実施形態に限られるものではない。
例えば、図７（ａ）に示すように、制動部５１に対して相対的に移動した摺接部５２が保持部５３に当接して蓋体２０の回動が止まった状態で、摺接部５２に設けられている凸部５２ａが、制動部５１の終点側に設けられている凹部５１ａに係入する構造を有していてもよい。このような構造を有している家庭用薄葉紙収納容器１００であれば、開蓋した蓋体２０をその姿勢でより好適に維持することができる。
また、図７（ｂ）に示すように、制動部５１に対して相対的に移動した摺接部５２が保持部５３に当接して蓋体２０の回動が止まった状態で、摺接部５２に設けられている凸部５２ａが、保持部５３に設けられている凹部５３ａに係入する構造を有していてもよい。このような構造を有している家庭用薄葉紙収納容器１００であれば、開蓋した蓋体２０をその姿勢でより好適に維持することができる。
【００３５】
また、例えば、図８（ａ）（ｂ）に示すように、蓋体２０が容器本体１０から離間する方向へ回動するのに伴い、摺接部５２が制動部５１に摺接する始点側よりも終点側の方が、摺接部５２と制動部５１の接触面積が大きくなるように構成されていてもよい。
このような構造の家庭用薄葉紙収納容器１００であっても、摺接部５２が制動部５１の終点側に回動するにつれ、摺接部５２と制動部５１の間の摩擦力が徐々に大きくなるので、蓋体２０が回動する勢いを好適に抑えることができる。
なお、制動部５１がその一端側と他端側の高さ（厚み）が同じ略円弧形状を有している場合でも、摺接部５２が制動部５１に摺接する始点側よりも終点側の方が、摺接部５２と制動部５１の接触面積が大きくなるように構成されていれば、摺接部５２が制動部５１の終点側に回動するにつれて、摺接部５２と制動部５１の間の摩擦力が徐々に大きくなるので、蓋体２０が回動する勢いを抑えることができる。
【００３６】
また、蓋体２０が容器本体１０から離間する方向へ回動するのに伴い、摺接部５２が制動部５１に摺接する始点側よりも終点側の方が、制動部５１の上面（摺接面）の幅が漸次広くなるように形成されていてもよい。
このような制動部５１を有する家庭用薄葉紙収納容器１００であっても、摺接部５２が制動部５１の終点側に回動するにつれ、摺接部５２と制動部５１の間の接触面積が徐々に大きくなって、摺接部５２と制動部５１の間の摩擦力が徐々に大きくなるので、蓋体２０が回動する勢いを好適に抑えることができる。
【００３７】
なお、以上の実施の形態においては、回動部５０の構成に関し、制動部５１（及び保持部５３）を容器本体１０の容器ヒンジ部１１に設け、摺接部５２を蓋体２０の蓋ヒンジ部２１に設けた場合を例に説明したが、本発明はこれに限定されるものではない。
例えば、制動部５１（及び保持部５３）を蓋体２０の蓋ヒンジ部２１に設け、摺接部５２を容器本体１０の容器ヒンジ部１１に設けるようにしてもよい。
このように構成された回動部５０であっても、蓋体２０が容器本体１０から離間する方向へ回動するのに伴い、制動部５１に対し相対的に移動する摺接部５２がその制動部５１に摺接して、蓋体２０が回動する勢いを抑えることができる。
【００３８】
また、その他、具体的な細部構造等についても適宜に変更可能であることは勿論である。
【符号の説明】
【００３９】
１０    容器本体
１０ａ  後面部
１０ｂ  前面部
１０ｃ  開口部
１０ｄ  底部
１１    容器ヒンジ部
２０    蓋体
２１    蓋ヒンジ部
３０    付勢部材
４０    突出部
５０    回動部
５１    制動部
５２    摺接部
５３    保持部
１００  家庭用薄葉紙収納容器
Ｐ      家庭用薄葉紙
【図１】
2020132159.tif 000003
【図２】
2020132159.tif 000004
【図３】
2020132159.tif 000005
【図４】
2020132159.tif 000006
【図５】
2020132159.tif 000007
【図６】
2020132159.tif 000008
【図７】
2020132159.tif 000009
【図８】
2020132159.tif 000010